(57)【要約】【課題】開発期間の短縮を図り得るとともに、保持部及び防水部の寸法精度の確保が容易な電気機器の洗浄装置を提供する。【解決手段】電気機器を保持して洗浄水で洗浄する保持部２と、洗浄水をろ過するフィルター装置を備えた洗浄剤容器３と、保持部２と洗浄剤容器３との間に介在されて、保持部２と洗浄剤容器３との間での洗浄水の漏れを防止する防水部６とを備えた洗浄装置において、保持部２と防水部６とを別体に形成した。【選択図】図３
2012179524.tif 000002
【特許請求の範囲】
【請求項１】
電気機器を保持して洗浄水で洗浄する保持部と、
前記洗浄水をろ過するフィルター装置を備えた洗浄剤容器と、
前記保持部と前記洗浄剤容器との間に介在されて、前記保持部と前記洗浄剤容器との間での洗浄液の漏れを防止する防水部と
を備えた洗浄装置において、
前記保持部と前記防水部とを別体に形成したことを特徴とする電気機器の洗浄装置。
【請求項２】
請求項１に記載の電気機器の洗浄装置において、
前記保持部を前記電気機器の機種毎に成形することを特徴とする電気機器の洗浄装置。
【請求項３】
請求項１又は２に記載の電気機器の洗浄装置において、
前記保持部にヒーターを収容する収容部を備えたことを特徴とする電気機器の洗浄装置。
【請求項４】
請求項１乃至３のいずれか１項に記載の電気機器の洗浄装置において、
前記洗浄装置の底蓋に前記防水部と保持部を別個に取着することを特徴とする電気機器の洗浄装置。
【請求項５】
請求項１乃至４のいずれか１項に記載の電気機器の洗浄装置において、
前記防水部に前記保持部を仮保持するフックを設けたことを特徴とする電気機器の洗浄装置。
【請求項６】
請求項１乃至５のいずれか１項に記載の電気機器の洗浄装置において、
前記保持部の連結管を前記防水部の貫通孔に嵌合し、前記連結管と前記貫通孔との間にＯリングを介在させ、前記Ｏリングを前記連結管と前記貫通孔との間で該連結管の嵌合方向と直交する方向に圧縮したことを特徴とする電気機器の洗浄装置。
【発明の詳細な説明】
【技術分野】
【０００１】
この発明は、電気かみそりや脱毛器等の小型電気機器を洗浄するための洗浄装置に関するものである。
【背景技術】
【０００２】
電気かみそりの洗浄充電器は、電気かみそりの装着に基づいて電気かみそりの洗浄と充電を行うものである。洗浄充電器は、電気かみそりを保持する保持部と、フィルター装置を備えた洗浄剤容器と、洗浄水容器と、これらの間で洗浄液を循環させるポンプ等を備えている。
【０００３】
また、特許文献１に開示されるように、保持部には防水部が一体に形成され、保持部と洗浄剤容器との間からの水漏れを防止している。
【先行技術文献】
【特許文献】
【０００４】
【特許文献１】特開２００８−１８１２８号公報
【発明の概要】
【発明が解決しようとする課題】
【０００５】
上記のような洗浄充電器では、保持部と防水部とが一体に形成されているため、異なる機種に対応するためには、防水部を含めて保持部を設計し直す必要がある。従って、多種類の機種に対応するためには、所要の開発期間が必要となるとともに、製造コストも上昇する。
【０００６】
また、保持部と防水部とを合成樹脂で一体に成形すると、複雑な形状で比較的大型の樹脂成形部品となるため、寸法精度の確保が容易ではない。
この発明の目的は、開発期間の短縮を図り得るとともに、保持部及び防水部の寸法精度の確保が容易な電気機器の洗浄装置を提供することにある。
【課題を解決するための手段】
【０００７】
上記課題を解決するために、本発明の洗浄装置は、電気機器を保持して洗浄液で洗浄する保持部と、前記洗浄水をろ過するフィルター装置を備えた洗浄剤容器と、前記保持部と前記洗浄剤容器との間に介在されて、前記保持部と前記洗浄剤容器との間での洗浄水の漏れを防止する防水部とを備えた洗浄装置において、前記保持部と前記防水部とを別体に形成したことを特徴とする。
【０００８】
また、上記構成において、前記保持部を前記電気機器の機種毎に成形することが好ましい。
また、上記構成において、前記保持部にヒーターを収容する収容部を備えることが好ましい。
【０００９】
また、上記構成において、前記洗浄装置の底蓋に前記防水部と保持部を別個に取着することが好ましい。
また、上記構成において、前記防水部に前記保持部を仮保持するフックを設けることが好ましい。
【００１０】
また、上記構成において、前記保持部の連結管を前記防水部の貫通孔に嵌合し、前記連結管と前記貫通孔との間にＯリングを介在させ、前記Ｏリングを前記連結管と前記貫通孔との間で該連結管の嵌合方向と直交する方向に圧縮することが好ましい。
【発明の効果】
【００１１】
本発明によれば、開発期間の短縮を図り得るとともに、保持部及び防水部の寸法精度の確保が容易な電気機器の洗浄装置を提供することができる。
【図面の簡単な説明】
【００１２】
【図１】洗浄充電器を示す断面図である。
【図２】洗浄充電器の動作を示す説明図である。
【図３】洗浄充電器の一部を示す分解斜視図である。
【図４】保持部と防水部との連結部分を示す断面図である。
【図５】保持部を防水部上に組み立てた状態を示す斜視図である。
【図６】洗浄充電器の一部を示す分解断面図である。
【図７】洗浄充電器の組立て手順を示す斜視図である。
【図８】洗浄充電器の組立て手順を示す斜視図である。
【図９】洗浄充電器の組立て手順を示す斜視図である。
【図１０】洗浄充電器の組立て手順を示す斜視図である。
【発明を実施するための形態】
【００１３】
以下、この発明を具体化した一実施形態を図面に従って説明する。図１に示す洗浄充電器は、本体１に受け皿状の保持部２が形成されるとともに、本体１内にフィルター装置４を備えた洗浄剤容器３、洗浄水貯留部５、防水部６、ポンプ７等が設けられる。そして、電気かみそり８を保持部２に装着して洗浄と充電を行うものである。
【００１４】
上記のような洗浄充電器の動作を図２に従って説明すると、前記洗浄剤容器３内の洗浄剤はポンプ７で洗浄水貯留部５に供給される。洗浄水貯留部５内の洗浄水は保持部２に供給され、保持部２に保持された電気かみそり８が洗浄される。そして、保持部２内の洗浄水は、防水部６を経て洗浄剤容器３に循環する。
【００１５】
なお、保持部２内の洗浄水を全て排水する場合には、洗浄水貯留部５の上部に設けられた通気孔５ａを電磁ソレノイドの動作により開放し、その状態でポンプ７を作動させることにより排水可能となっている。
【００１６】
前記保持部２と、防水部６と、洗浄剤容器３及びフィルター装置４の具体的構成を説明する。図３に示すように、保持部２は合成樹脂で電気かみそり８を保持する受け皿状に形成され、その底部には排水用の連結管９が下方へ突出されている。
【００１７】
また、保持部２の側部には保持部２からの洗浄水のオーバーフローを防止するための導水管１０が設けられ、その導水管１０の上端は前記保持部２の上部に開口されている。
前記防水部６は、合成樹脂で前記保持部２と別体で形成され、前記本体１の底蓋１１に取着可能となっている。そして、防水部６上に前記保持部２が支持される。
【００１８】
前記保持部２を防水部６上に取着する際、図４に示すように、前記連結管９は防水部６に設けられた貫通孔１２にＯリング１３を介して嵌着される。すなわち、前記連結管９の外周面と貫通孔１２の内周面との間にはＯリング１３を収容するための収容部９ａが設けられている。
【００１９】
そして、前記収容部９ａの連結管９の径方向の隙間は、前記Ｏリング１３のリング部の径より小さくなるように形成されている。
そして、連結管９を貫通孔１２に嵌挿すると、Ｏリング１３は連結管９の挿入方向と直交する方向（図４において左右方向）に圧縮されて、連結管９と貫通孔１２との間の隙間が密封されるようになっている。
【００２０】
従って、保持部２から連結管９に案内される洗浄水は、防水部６の上面に漏れ出ることはなく、洗浄剤容器３の上面に開口された導水孔１４から洗浄剤容器３内に案内される。また、前記導水管１０に案内された洗浄水は、連結管２１と防水部６に配置された導水管２２を介して洗浄剤容器３に案内される。
【００２１】
図３及び図６に示すように、前記防水部６の上面には、上方へ突出するフック１５が形成され、図５に示すように、前記保持部２の外面において前記フック１５に対応する位置には該フック１５を係止可能とした係止部１６が形成されている。
【００２２】
そして、防水部６上に保持部２を取着する際、フック１５を係止部１６に係止することにより、保持部２を防水部６に仮止め可能となっている。
前記保持部２の下面には、収容部１７が形成され、その収容部１７にヒーター装置１８が収容されている。ヒーター装置１８は、保持部２内の洗浄水を適宜温度に過熱する機能を備えている。
【００２３】
次に、上記のように構成された洗浄充電器の作用を説明する。
上記洗浄充電器を組み立てるには、図７に示すように、底蓋１１上の一側にポンプや洗浄剤容器３の検出装置１９等を組み立てた後、図８に示すように、底蓋１１の他側の洗浄剤容器収容部２０上に防水部６を取着する。
【００２４】
次いで、図９に示すように保持部２にヒーター装置１８を取着し、図１０に示すようにその保持部２を防水部６上に取着する。
上記のような洗浄充電器では、次に示す効果を得ることができる。
（１）保持部２と防水部６を別体としたので、保持部２と防水部６をそれぞれ別個に成形することができる。従って、保持部２及び防水部６を小型の樹脂成形部品とすることができるので、寸法精度の確保が容易となる。
（２）多種類の異なる機種の電気かみそりに対応するためには、各機種に対応する保持部２のみを別個に設計し、防水部６を共通部品とすることができる。従って、異なる機種に対応する洗浄充電器の開発期間を短縮し、開発コストを低減することができる。
（３）保持部２にヒーター装置１８を組み込み可能としたので、防水部６に不具合が発生しても、ヒーター装置１８と保持部２を廃棄することなく、防水部６のみを容易に交換することができる。
（４）防水部６を底蓋１１上に取着した後に、保持部２を防水部６上に取着することができる。従って、底蓋１１上に防水部６を取着した状態で他の部品を底蓋１１上に取着し、その後に保持部２を防水部６上に取着することができるので、組み立てが容易である。
（５）フック１５により保持部２を防水部６上に仮保持することができる。従って、保持部２を仮保持した状態で他の部品の組み立て作業を容易に行うことができる。
（６）Ｏリング１３を連結管９の挿入方向と直交する方向に圧縮して、連結管９と貫通孔１２との間の隙間を密封することができる。従って、貫通孔１２への連結管９の挿入ストロークに関わらず、連結管９と貫通孔１２との隙間を安定して密封することができる。
【００２５】
上記実施形態は、以下の態様で実施してもよい。
・電気かみそり以外の脱毛器等の小型電気機器の洗浄装置に応用することもできる。
【符号の説明】
【００２６】
２…保持部、３…容器（洗浄剤容器）、６…防水部、８…電気機器（電気かみそり）、９…連結管、１１…底蓋、１２…貫通孔、１３…Ｏリング、１５…フック、１８…ヒーター装置、１９…検出装置、２０…洗浄剤容器収容部、２１…連結管、２２…導水管。
【図１】
2012179524.tif 000003
【図２】
2012179524.tif 000004
【図３】
2012179524.tif 000005
【図４】
2012179524.tif 000006
【図５】
2012179524.tif 000007
【図６】
2012179524.tif 000008
【図７】
2012179524.tif 000009
【図８】
2012179524.tif 000010
【図９】
2012179524.tif 000011
【図１０】
2012179524.tif 000012